(57)【要約】      （修正有）【課題】  コンクリート成形物を建造する際に、鉄筋の配置密度が高い場合において、セパレータの位置調整が可能であり、セパレータの取り付け施工が容易にできるようにする。【解決手段】  コンクリート成形物を建造する際に型枠５０の外面を押さえ固定するように用いる保持枠７０において、相対して配置される型枠５０を連結するためのセパレータ６０の取り付け施工用の開口２５が設けられたセパレータ取り付け用装置であり、型枠の開口に装着される円形の蓋体と、型枠の保持枠に取り付けられる固定用プレート３と、固定用プレート３の中心位置に差し入れられるネジ棒とそのネジ棒に装着されるナット７とからなる。上記ネジ棒及びナット７が固定具を構成する。【選択図】図２
2006144542.tif 000002
【特許請求の範囲】
【請求項１】
コンクリート成形物を建造する際に型枠の外面を押さえ固定するように用いる保持枠において、
相対して配置される型枠を連結するためのセパレータの取り付け施工用の開口が設けられたことを特徴とする保持枠。
【発明の詳細な説明】
【技術分野】
【０００１】  この発明は、コンクリート成形物を建造する際に型枠の外面を押さえ固定するように用いる保持枠の構造に関する。
【背景技術】
【０００２】  阪神大震災の後、耐震性を高めるようにコンクリート建造物内における鉄筋の配置密度が高くなっている。鉄筋の配置密度が高くなると、建造に際して型枠をバタ材と呼ばれる保持枠と一体に固定するセパレータの配置が難しくなる。すなわち、セパレータは一対の型枠内に貫通使用され、その際に鉄筋が邪魔となるためである。建造現場においてセパレータの貫通配置が行なえなくなった場合は鉄筋の配置変更作業を行なわねばならず、非常に手間がかかることとなる。【０００３】  したがって、セパレータを型枠内に位置調整可能に配置する必要が生じる。
【発明の開示】
【発明が解決しようとする課題】
【０００４】  この発明では、そのようなセパレータの取り付け施工が容易にできるようにするものである。
【課題を解決するための手段】
【０００５】  この発明では、コンクリート成形物を建造する際に型枠の外面を押さえ固定するように用いる保持枠において、相対して配置される型枠を連結するためのセパレータの取り付け施工用の開口が設けられた構成とした。【０００６】  上記発明の構成によれば、保持枠の取り付け施工用の開口部分においてセパレータの取り付けを行える。従来のこの種保持枠としてはＣ型綱やＨ型綱等を使用しており、それらの配置隙間を利用してセパレータを位置調整しながら取り付けるのは非常に困難で手間がかかり、施工性が悪くなる。
【発明の効果】
【０００７】  この発明によれば、保持枠の取り付け施工用の開口部分においてセパレータの取り付けを行えるので、多数のセパレータの位置調整を伴う取り付けも容易にできるようになり、施工性が格段に向上される。
【発明を実施するための最良の形態】
【０００８】  図１はこの発明に用いられるセパレータ取り付け装置の実施形態の斜視図である。セパレータ取り付け用装置１は金属製で、型枠の開口に装着使用される円形の蓋体２と、型枠の保持枠に取り付けられる固定用プレート３と、固定用プレート３の中心位置に差し入れられるネジ棒５とそのネジ棒５に装着されるナット７とからなる。上記ネジ棒５及びナット７が固定具７５を構成する。【０００９】  上記蓋体２にはその中心から外れた位置にセパレータの取り付け穴９が設けられるととともに、外面にはその中央に被押圧部としての棒体１１が溶接により固定されて立設され、その端部には環状部材１２が取り付けられている。固定用プレート３にはセパレータの取り付け穴１３とネジ穴１５とが設けられている。ネジ棒５は先端部分１６にはネジが設けられておらず、基部面には六角による回転操作部１８が凹設されている。【００１０】  次に、上記セパレータ取り付け装置１を用いての第１の発明の実施形態のセパレータの取り付け構造を説明する。図２はその外観を示す斜視図、図３は断面図である。蓋体２には内面周囲に沿って取り付け用の段部２０が形成され、その段部２０の内側部分が型枠５０の円形の開口５１に嵌合されるようにして蓋体２は装着されている。セパレータ６０はＰコン６１で連接されており、そのＰコン６１部分が蓋体２の内面に位置するようにしてセパレータの挿通穴９を挿通している。固定用プレート３にも内面側に円周形状に沿う一対の取り付け用の凸部２３が形成されており、この凸部２３が外側の保持枠７０に形成される円形開口（施工用の開口）２５に嵌合されて装着され、その取り付け穴１３をセパーレータ６０がさらに挿通して外方に突出し、その突出するネジ部分６４にナット６５が装着されている。【００１１】  固定用プレート３の中心位置にあるネジ穴１５からネジ棒５が螺入され、その先端部分１６が蓋体２から延び出す棒体１１の環状部材１２の穴１４に嵌入され、さらに強固にネジ棒５が螺入されナット７が装着されて固定される。これにより、蓋体２は棒体１１を介してネジ棒５に押圧されることで型枠５０の開口５１に強固に装着固定される。【００１２】  図４はセパレータ６０の取り付け位置調整の説明図であり、蓋体２は型枠５０の開口５１内で矢印方向に回転されることでそのセパレータ６０の取り付け穴９を適宜の位置とでき、これにより型枠５０内の鉄筋Ｆの無い位置に容易にセパレータ６０を配置することができる。固定用プレート３も同様に開口２５内で回転されてそのセパレータ６０の取り付け穴１３が蓋体２のセパレータ６０の取り付け穴９に相対する位置において装着される。【００１３】  セパレータ６０の逆側の端部も、型枠５０とコンクリートの充填空間Ｐを挟んで相対する逆側の型枠位置において、上記と同様にセパレータ取り付け装置１が用いられることで型枠、保持枠に固定される。【００１４】  次に、この発明のセパレータの取り付け構造の他の実施形態を、図５の斜視図及び図６の断面構成図を用い説明する。この発明では、型枠５０の開口５１に装着される蓋体２を型枠５０に取り付けられる固定具８０により固定するようになっている。すなわち、型枠５０の外面には通常一体に補強用のリブ５５が���けられており、この一対のリブ５５の開口５１に臨む位置に一対の固定片８１が取り付けられ、その固定片８１の両端にはネジ穴を備えるボス８２がそれぞれ一体に設けられ、それらボス８２に螺入される固定ネジ８３それぞれにより押し込まれる押圧片８４それぞれにより蓋体２が固定されるようになっている。固定片８４は略コ字型で一方側が長く突出し、その長く突出する側８４ａで蓋体２面を押さえる。固定片８４は１個の蓋体２に対して４個用いられ、これにより蓋体２は４点において押圧固定される。【００１５】  この実施形態においても保持枠７０として上記実施形態のものと同様の円形の開口２５を持つものを使用し、その開口２５内において余裕を持って上記の固定ネジ８３による蓋体２の固定作業が行なえる。また第１の発明と同様に固定プレート３を用いてセパレータ６０の端部を固定するが、この実施形態に用いる固定プレート３には上記実施形態のものにあったネジ穴１５は存在しない。
【図面の簡単な説明】
【図１】  この発明の実施形態において用いるセパレータ取り付け装置の斜視図
【図２】  この発明の実施形態のセパレータの取り付け構造の斜視図
【図３】  この発明の実施形態のセパレータの取り付け構造の断面構成図
【図４】  この発明の実施形態におけるセパレータの取り付け位置調整の説明図
【図５】  この発明の他の実施形態のセパレータの取り付け構造の斜視図
【図６】  この発明の他実施形態のセパレータの取り付け構造の断面構成図
【符号の説明】
２  蓋体
１１  棒体
２５  開口
５０  型枠
５５  リブ
５１  開口
６０  セパレータ
７０  保持枠
７５  固定具
【図１】
2006144542.tif 000003
【図２】
2006144542.tif 000004
【図３】
2006144542.tif 000005
【図４】
2006144542.tif 000006
【図５】
2006144542.tif 000007
【図６】
2006144542.tif 000008